(57)【要約】【課題】  冷凍機の設置環境に係わらず、冷凍機を構成する凝縮器の温度を適正範囲に保てるようにする。【解決手段】  凝縮器２から放出される熱を除去する冷却ファンを複数備えた冷凍機において、少なくとも１つの冷却ファン６の回転速度が、凝縮器出口冷媒温度センサーの検出温度の高、低に応じて、高速、低速となるよう制御され、それ以外の冷却ファン７は、凝縮器出口冷媒温度センサーの検出温度が所定値以上のときに回転し、所定値以下のときに停止するよう制御される。【選択図】図１
2006138632.tif 000002
【特許請求の範囲】
【請求項１】
凝縮器から放出される熱を除去する冷却ファンを複数備えた冷凍機において、少なくとも１つの冷却ファンの回転速度が、コンプレッサーの回転周波数の高、低に応じて高速、低速となるよう制御され、それ以外の冷却ファンは、コンプレッサーの回転周波数が所定値以上のときに回転し、所定値以下のときに停止するよう制御される冷凍機。
【請求項２】
凝縮器から放出される熱を除去する冷却ファンを複数備えた冷凍機において、少なくとも１つの冷却ファンの回転速度が、凝縮器出口冷媒温度センサーの検出温度の高、低に応じて、高速、低速となるよう制御され、それ以外の冷却ファンは、凝縮器出口冷媒温度センサーの検出温度が所定値以上のときに回転し、所定値以下のときに停止するよう制御される冷凍機。
【発明の詳細な説明】
【技術分野】
【０００１】
本発明は、凝縮器から放出される熱を除去するための冷却ファンを備えた、全密閉内蔵型冷凍機等の冷凍機に関するものである。
【背景技術】
【０００２】
全密閉内蔵型冷凍機（平型ショーケース）等の冷凍機においては、コンプレッサーで圧縮され、高温化した冷媒ガスが、凝縮器を通るときに外気によって冷やされて液化し、毛細管で低温低圧になり、蒸発器の中で液体から気体に姿を変えるときに冷凍室内より大量の熱を奪い、コンプレッサーへ戻される。その過程で凝縮器からは大量の熱が放出されるが、その熱を凝縮器及びその周囲から除去するために、冷却ファンが１つ又は２つ設けられている。従来の凝縮器用冷却ファンは、一定の回転数で回転するもであり、冷凍機の設置環境に係わらず、凝縮器の周囲には一定量の外気が供給される（例えば、特許文献１参照）。
【特許文献１】特開平６−１７４３５６
【発明の開示】
【発明が解決しようとする課題】
【０００３】
従来の冷凍機の凝縮器用冷却ファンは、回転数が一定であるために、設置環境に係わらず、凝縮器の周囲に一定量の外気が供給されることにより、外気温度が低い冬季にイベント等に使用する場合には、冷却ファンから凝縮器周囲へ供給される外気温度が低すぎ、凝縮器から必要以上に多量の熱を奪うこととなる。そのため、凝縮器の冷媒凝縮温度が低くなり過ぎ、凝縮器出口に設けられた膨張弁の誤動作やハンチング（乱調）が発生し、冷却性能の低下を招くことになる。また、膨張弁のハンチングが発生すると、液戻りが生じ、コンプレッサーが液圧縮を行い、耐久性が低下する。
【０００４】
本発明は、冷凍機の設置環境に係わらず、冷凍機を構成する凝縮器の温度を適正範囲に保てるようにすることを目的としている。
【課題を解決するための手段】
【０００５】
本発明の冷凍機は、凝縮器２から放出される熱を除去する冷却ファンを複数備えた冷凍機において、少なくとも１つの冷却ファン６の回転速度が、コンプレッサー１の回転周波数の高、低に応じて高速、低速となるよう制御され、それ以外の冷却ファン７は、コンプレッサー１の回転周波数が所定値以上のときに回転し、所定値以下のときに停止するよう制御されるものである。
【０００６】
本発明の他の冷凍機は、凝縮器２から放出される熱を除去する冷却ファンを複数備えた冷凍機において、少なくとも１つの冷却ファン６の回転速度が、凝縮器出口冷媒温度センサー１５の検出温度の高、低に応じて、高速、低速となるよう制御され、それ以外の冷却ファン７は、凝縮器出口冷媒温度センサー１５の検出温度が所定値以上のときに回転し、所定値以下のときに停止するよう制御されるものである。
【発明の効果】
【０００７】
以上説明したように本発明の冷凍機は、凝縮器用冷却ファンの回転速度又はその回転、停止がコンプレッサーの回転周波数又は凝縮器出口冷媒温度センサーの検出温度に基づいて制御されるので、冷凍機の設置環境に係わらず、凝縮器における冷媒の凝縮温度を常に適正範囲に保つことができる。従って、低温環境に置いたときの従来の冷凍機のように、凝縮器から必要以上に多量の熱が奪われることがないので、膨張弁の誤動作やハンチングの発生、コンプレッサーの液圧縮もなく、本来の冷却性能を維持することができ、耐久性が向上する。
【発明を実施するための最良の形態】
【０００８】
図１及び図２を参照し、本発明の冷凍機の実施形態について説明する。
【実施例】
【０００９】
この冷凍機は、冷媒ガスを圧縮するコンプレッサー１と、圧縮された冷媒ガスを冷却して凝縮、液化する凝縮器２と、液化した冷媒を低温低圧にする毛細管３と、液化した冷媒を蒸発気化する、冷凍室４の内部に設けられた蒸発器５とよりなる冷媒循環回路を備え、更に、凝縮器２から放出される熱を除去する、第１冷却ファン６、第２冷却ファン７を設けた基本構成において、従来のものと変わらない。なお、冷却ファンは、１つのこともあるが、ここでは２つ設けるものを中心にして説明する。
【００１０】
本発明の冷凍機は、例えば、図３に示す、冷却器（蒸発器５等よりなる）が下部に内蔵された断熱構造の、移動可能な冷却箱体（内部空間が冷凍室４となっている）１６と、その下方の機械室１７に設けられた、コンプレッサー１、凝縮器２、毛細管３等よりなる冷凍機ユニットとを備える低温ショーケースとして具現されるが、これに限定されるものではない。
【００１１】
本発明は、第１冷却ファン６及び第２冷却ファン７の回転制御に特長がある。以下、それらの駆動制御回路構成について説明する。
【００１２】
図２は、本発明の冷凍庫を構成するコンプレッサー１及び凝縮器用の第１冷却ファン６、第２冷却ファン７を回転させる第１冷却ファンモーター８、第２冷却ファンモーター９を駆動制御するためのブロック回路の図である。これらの駆動制御は、中央処理装置ＣＰＵ、読出し専用メモリーＲＯＭ、読出し書込み自在メモリーＲＡＭ等より構成されるマイクロコンピュータ１０によって行われる。このマイクロコンピュータ１０には、コンプレッサー１及び第１冷却ファンモーター８、第２冷却ファンモーター９を駆動するための制御プログラムが予め記憶されている。
【００１３】
マイクロコンピュータ１０の各出力端子には、冷凍機の冷媒ガスを圧縮するコンプレッサー（その駆動モーター）１を駆動するためのコンプレッサードライバー１１及び第１冷却ファンモーター８、第２冷却ファンモーター９を駆動するための第１冷却ファンモータードライバー１２、第２冷却ファンモータードライバー１３がそれぞれ接続されている。
【００１４】
また、マイクロコンピュータ１０の各入力端子には、冷凍室４の内部の温度を検出する冷凍室内温度センサー１４及び、凝縮器２の配管出口に設けられ冷媒の温度を検出する凝縮器出口冷媒温度センサー１５がそれぞれ接続されている。
【００１５】
そして、冷凍室内温度センサー１４及び凝縮器出口冷媒温度センサー１５からマイクロコンピュータ１０に、それぞれ冷凍室内温度検出信号、凝縮器出口冷媒温度検出信号が送られる。
【００１６】
マイクロコンピュータ１０からコンプレッサードライバー１１には、冷凍室内温度検出信号に基づいて演算されたコンプレッサー駆動信号が出力される。このコンプレッサードライバー１１は、コンプレッサー１を駆動するモーターの回転速度を変える周波数制御装置、いわゆるインバーター（回転数制御回路）である。即ち、コンプレッサー１の回転速度は、冷凍室４の内部温度の高、低に応じて、高速、低速となるよう制御される。
【００１７】
マイクロコンピュータ１０から第１冷却ファンモータードライバー１２、第２冷却ファンモータードライバー１３には、凝縮器出口冷媒温度検出信号に基づいて演算された、それぞれの駆動信号が出力される。第１冷却ファンモータードライバー１２、第２冷却ファンモータードライバー１３は、それぞれ第１冷却ファンモーター８、第２冷却ファンモーター９の回転速度を変える周波数制御装置、いわゆるインバーター（回転数制御回路）である。即ち、第１冷却ファンモーター８、第２冷却ファンモーター９の回転速度は、凝縮器２の配管出口の冷媒温度の高、低に応じて、高速、低速となるよう制御される。
【００１８】
凝縮器用の冷却ファンを１つ設ける場合は、上記した回転数制御方式にする。また冷却ファンを２つ以上設ける場合は、全てを上記した回転数制御とするか、何れか１つを、凝縮器出口冷媒温度センサー１５の検出した冷媒温度が、所定温度（ある一定の温度）以上のときに冷却ファンモーターを回転（オン）させ、所定温度以下のときに冷却ファンモーターを停止（オフ）するよう制御する。
【００１９】
本発明の冷凍機においては、冷凍機の設置環境温度が低いときには、冷凍室４の内部温度も低くなる傾向にあるので、コンプレッサー１の回転周波数も低下する傾向となる。同様に、凝縮器２の配管出口の冷媒温度も低くなる傾向にあるので、第１冷却ファン６、第２冷却ファン７の回転数（回転速度）も低下したり、停止し、凝縮温度が上昇することとなる。即ち、本発明においては、第１冷却ファン６及び第２冷却ファン７の回転数（回転速度）、延いては、冷媒の凝縮温度が、概ね、コンプレッサー１の回転周波数に同期して制御されるということがいえる。
【図面の簡単な説明】
【００２０】
【図１】本発明の冷凍機の冷媒循環回路図である。
【図２】本発明の冷凍機を構成するコンプレッサー及び凝縮器用冷却ファンを駆動制御するためのブロック回路の図である。
【図３】本発明の冷凍機の一例としての移動式ショーケースの斜視図である。
【符号の説明】
【００２１】
１    コンプレッサー
２    凝縮器
４    冷凍室
６    冷却ファン
７    冷却ファン
８    冷却ファンモーター
９    冷却ファンモーター
１０  マイクロコンピュータ
１１  コンプレッサードライバー
１２  冷却ファンモータードライバー
１３  冷却ファンモータードライバー
１５  凝縮器出口冷媒温度センサー
【図１】
2006138632.tif 000003
【図２】
2006138632.tif 000004
【図３】
2006138632.tif 000005